Podtech/llm-jp-corpus-v4-ja_patent huggingface dataset:
(57)【要約】      （修正有）【課題】寝具での寝小便の後始末が簡便に出来るベッドを提供する。【解決手段】高さ約５０ｃｍ横２００ｃｍ奥行き１００ｃｍの発泡スチロールなどの弾性をもち水の浸透を防ぐ素材の塊でなる寝台１で、上面に中央を最底辺とする窪み２を設け、その中心に排水口３が下方に伸長している、その排水口３の下に水受けタンク５が納まる、水受けタンク５を収める開放部を設けそこに上方が開放した水受けタンク５を差し入れてなる発泡スチロールなどで出来た排水設備を備えた。【選択図】図１
2010172684.tif 000002
【特許請求の範囲】
【請求項１】
高さ約５０ｃｍ横２００ｃｍ奥行き１００ｃｍの発泡スチロールなどの弾性をもち水の浸透を防ぐ素材の塊でなる寝台で、上面に中央を最底辺とする窪みを設け、その中心に排水口が下方に伸長している、その排水口の下に水受けタンクが納まる、水受けタンクを収める開放部を設けそこに上方が開放した水受けタンクを差し入れてなる発泡スチロールなどで出来た排水設備を備えたベッドである。
【発明の詳細な説明】
【技術分野】
【０００１】本発明は、一般家庭や老人施設や医療施設などで使う介護用ベッドに関する。
【背景技術】
【０００２】従来のベッドでは、排水設備はなかった、【０００３】以下、図５で説明すると、ベッドで寝小便１３をすると、敷き布団を汚し、後始末が大変であった。
【発明の表示】
【発明が解決しようとする課題】
【０００４】以上述べた従来のベッドでは、寝小便１３は寝具を汚した，
【０００５】本発明は、このような従来の構成が有していた問題を解決しょうとするものであり、寝小便１３をしても寝具を汚さず簡単に後始末のできるベッド１を実現することを目的とするものである。
【課題を解決するための手段】
【０００６】そして本発明は上記目的を達成するためにベッド自体が発泡スチロールで出来ている、
【０００７】また、第２の課題解決手段は、発泡スチロールベッドの上面にその中央が最底辺になる窪みを設けその中心に排水口が下方に伸長している。
【０００８】上記第１の課題解決手段による作用は次の通りである。すなわち、このベッドを使用する人はベッド自体弾性がありしたがって敷き布団は不要で、上掛け布団だけ使用する。
【０００９】また、第２の課題解決手段による作用は、たとえ寝小便をしても窪みの最底辺に設けた排水口より排出されるためベッドを汚すことはないという効果を発揮する。
【発明の効果】
【００１０】上述したように本発明の発泡スチロールで出来たベッドでは、寝小便などは、ベッドに備えた排水口より排出される。
【００１１】また排出された小便は、水受けタンクを収める開放部に収められた水受けタンクに入って貯められるので随時介助者がトイレに流せばよい。
【発明を実施するための最良の形態】
【００１２】以下本発明の実施の形態を図１〜図４に基ずいて説明する。【００１３】図においては、１は発泡スチロールでなるベッド１は上面に中央が最底辺になる窪み２を設けその中心に排水口３が下方に伸長している、排水口３の下には、水受けタンクを収める開放部４に水受けタンク５が差し込まれている。【００１４】これに寝る人は、ベッド１に敷き布団は敷かず上掛け布団７を掛けて寝るとよい。【００１５】排水口３のあるベッド１では、この上でお湯１１に浸したおしぼり１２で身体洗浄をする事ができる、また、止水栓１４で排水口３を塞いでお湯を貯めれば簡単な行水もできる、排水後は乾いたタオルでベッドをふき取るだけで簡単に始末ができる。【００１６】以下上記構成の動作を説明する、発泡スチロールでなるベッド１では、水分は弾かれ排水口３より排出される。
【図面の簡単な説明】
【００１７】
【図１】本発明の実施形態を示す発泡スチロールベッドの斜視図
【図２】発泡スチロールベッドに上掛け布団だけで寝る状態を示した斜視図
【図３】発泡スチロールベッドで身体洗浄をする実施態様を示した斜視図
【図４】発泡スチロールベッドの長手方向側面から見た断面図
【図５】従来のベッドで寝小便をした状態を示した斜視図
【符号の説明】
【００１８】１      発泡スチロールのベッド
２      ベッドの上面に設けた窪み
３      排水口
４      水受けタンクを収める開放部
５      水受けタンク
６      タンクの取っ手
７      上掛け布団
８      ベッドの使用者
９      おしぼりで身体洗浄をする介助者
１０    バケツ
１１    お湯
１２    おしぼり
１３    小便
１４    止水栓
【図１】
2010172684.tif 000003
【図２】
2010172684.tif 000004
【図３】
2010172684.tif 000005
【図４】
2010172684.tif 000006
【図５】
2010172684.tif 000007
(57)【要約】【課題】  従来のこたつ布団カバーは、こたつ布団の汚れを防止することが主な目的であった。本発明は、カバー機能と同時に乱雑になりがちなこたつ上の雑貨を収納することにより、スッキリと片付け、なおかつ必要な時はいちいち立ち上がることなく、すぐに取り出せることを目的とする。【解決手段】  こたつ布団と同形の布の４辺にそれぞれ左端に透明ビニールで、口部に布製の蓋の付いたポケットをマジックテープで取り付ける。左端に縦長のポケットをマジックテープで取り付ける【選択図】図１
2010172682.tif 000002
【特許請求の範囲】
【請求項１】
こたつ布団と同形布の４辺に、それぞれ左端に透明のビニールで布の蓋付きのポケットを設け、右端に縦長のポケットをマジックテープで取り付けたポケット付きこたつ布団カバー。
【発明の詳細な説明】
【技術分野】
【０００１】  本発明は、こたつ布団の上にかけるカバーにポケットをマジックテープで取り付けたポケット付きこたつ布団カバーに関するものである。
【背景技術】
【０００２】  従来のこたつ布団カバーは、こたつ布団の汚れを防止することが目的で、こたつ布団を覆うサイズの布製や、こたつ布団をすっぽり覆い、ファスナーで取り外す袋状の物であった。
【発明の開示】
【発明が解決しようとする課題】
【０００３】  従来のこたつカバーは主にこたつ布団の汚れ防止が目的で、収納の機能はなかった。
本発明は、以上の問題点を解決するものである。
【課題を解決するための手段】
【０００４】  こたつ布団と同形の布の４辺に、それぞれ左端に透明ビニールで口に布製の蓋が付いたポケットを、右端に縦長のポケットをマジックテープで取り付けたものである。
本発明は以上の構成よりなるこたつ布団カバーである。
【発明の効果】
【０００５】  このポケット付きこたつ布団カバーは、こたつ布団の汚れを防ぐと同時に、散らかりがちなこたつの上の雑貨を収納・管理し、必要に応じて取り出すことが出来る。又カバーを洗濯する時には、ポケットを取り外すことが出来る。
【発明を実施するための最良の形態】
【０００６】  以下、本発明の実施の形態を説明する。
（イ）こたつと同サイズのカバー布（５）の４辺に、それぞれ２種類のポケットを取り付ける。
（ロ）天板から５ｃｍ下の左端に、透明ビニール（２）で口に布製の蓋（３）がついたポケットをマジックテープ（１）で取り付ける。
（ハ）右側の同じ高さに、縦長のポケット（４）をマジックテープ（１）で取り付ける。
本発明は以上のような構造である。
本発明を使用する時は、こたつ布団の上にかぶせた布（５）のマジックテープ（１）に合わせて各ポケットを貼り付ける。カバー（５）を洗濯する時は、ポケット部分だけを取り外し、使用時に再び取り付ける。
【図面の簡単な説明】
【０００７】
【図１】本発明の使用時の斜視図
【図２】ポケット取り付け前の本発明の平面図
【図３】透明ポケットの斜視図
【図４】透明ポケットの裏面図
【図５】縦長ポケット
【図６】縦長ポケットの裏面図
【符号の説明】
【０００８】１．マジックテープ
２．透明ビニール
３．布製蓋
４．縦長ポケット
５．カバー布
【図１】
2010172682.tif 000003
【図２】
2010172682.tif 000004
【図３】
2010172682.tif 000005
【図４】
2010172682.tif 000006
【図５】
2010172682.tif 000007
【図６】
2010172682.tif 000008
(57)【要約】【課題】  本発明は、両面フォトフームにおいて、写真投入口と収納スペースを併せ持ち、任意の複数個を連結した、収納ケース連結式両面フォトフレーム・アルバムを提供する。【解決手段】一つのフォトフレームの両面に独立した写真入れ出しを容易にするための、空間スペースを持つ写真投入口と、写真投入調整所の切り込みを設け、また、底部分には写真がフレーム内で的確な位置を確保できるための写真止めを設け、又、フレーム仕切り部分に写真２０枚〜２５枚収納できる、収納ケースを設け、そのフレームを連結することにより、折り畳み、引き伸ばしを自由に行なうことができ、且つ、そのまま写真立となる収納ケース連結式両面フォトフレーム・アルバム。【選択図】図１
2010172688.tif 000002
【特許請求の範囲】
【請求項１】
１つのフォトフレームの両面に、独立した写真の入れ出しを容易にするための空間スペースを持つ写真投入口と、写真投入調整所の切り込みを設け、また、底部分に写真がフレーム内で的確な位置を確保できるための写真止めを設け、両面フレーム仕切り部分に写真を収納できる収納ケースを設け、そのフレームを任意の数だけ連結することにより、折り畳み、引き伸ばしを自由に行える、収納ケース連結式両面フォトフレーム・アルバム。
【発明の詳細な説明】
【技術分野】
【０００１】  本発明は、両面フォトフレームにおいて、写真投入口と収納スペースを併せ持ち、任意の複数個を連結した、収納ケース連結式両面フォトフレーム・アルバムに関するものである。
【背景技術】
【０００２】  従来、一枚のガラスパネルに何枚かの写真を入れたり、連続フレームの中で別の容器を用いて写真を交換するもの、折りたたみ式の写真立てのものに部分的に収納できるものを設けているもの、両面見ることのできる写真立ても写真投入口が一箇所として利用されている物などがある。
【発明の開示】
【発明が解決しようとする課題】
【０００３】    そのために、次のような問題点があった。
（イ）従来、両面で見られる写真立ては、写真投入口が一箇所であり、写真の出し入れの時の不安定感、また、写真と写真立が別の場所にある為、写真の交換も困難であり、ある一定量の写真をまとめて写真立に収納することが出来なかったため
（ロ）一つの事を継続的に一つの写真立に、アルバム的に残して置くことができなかった。
本発明は以上の問題点を解決しようとするものである。
【課題を解決するための手段】
【０００４】  一つのフォトフレームの両面に独立した写真入れ出しを容易にするための、空間スペースを持つ写真投入口と、写真投入調整所の切り込みを設け、又、底部分には写真がフレーム内で的確な位置を確保できるための写真止めを設け、又、フレーム仕切り部分に写真２０枚〜２５枚収納できる、収納ケースを設け、そのフレームを連結することにより、折り畳み、引き伸ばしを自由に行うことができ、且つそのまま写真立となる収納ケース連結式両面フォトフレーム・アルバムである。
【発明の効果】
【０００５】  本発明は、連結したフォトフレームを折り畳んだり、伸ばしたりすることにより、両面の写真の観賞角度に変化を与え楽しむ事ができる。又、写真の出し入れも空間スペースを設けた投入口により容易に行なえ、又、別に収納ケースを設けた事により、相当数の写真を内臓でき、家族の歴史、一人の生い立ち等々など写真に整理番号など書き、メモリー用紙を備えて、撮影年月日、場所等を記載して整理しておけば、アルバムとしても兼用できる。
【発明を実施するための最良の形態】
【０００６】  以下、本発明の実施の形態を説明する。
（イ）フレーム枠（１６）、クリヤー板（１７）、フレーム仕切り板（１８）を重ねて一体とし
（ロ）これをフレーム両面接続枠（１９）の両面に接合してフォトフレームを構成する。
（ハ）１枚目両面フォトフレーム（１）と２枚目両面フォトフレーム（２）を蝶番（９）と（１０）で接続する。
（ニ）３枚目両面フォトフレーム（３）と４枚目両面フォトフレーム（４）を、蝶番（１１）と（１２）で接続する。
（ホ）蝶番（９）と（１０）で接続したもの（ハ）と、蝶番（１１）と（１２）とで  接続したもの（ニ）を蝶番（１３）と（１４）で連結する。
本発明は、以上の構成よりなっており、これを実際に使用する時には、両面フォトフレーム（１）（２）（３）（４）を折り畳んだり、伸ばしたりする事により、観賞写真画面を全部畳んで一枚としたり、１枚目両面フォトフレーム（１）と（４）を後ろに曲げて観賞画面を二枚にしたりと、両面全部（１）（２）（３）（４）四枚の両面フォトフレームで、１２通りの観賞画面が可能である。又、連結個数は任意に増設できる。各フォトフレームに写真収納ケースが設けられているので、その場で写真の入れ替えが出来ることにより、日々別々の写真観賞も楽しめ、アルバムとしても兼用できる。
【図面の簡単な説明】
【０００７】
【図１】  本発明の左斜視図
【図２】  本発明の右斜視図
【図３】  本発明の図１を左に開げた平面図
【図４】  本発明の図２を右に開げた平面図
【図５】  本発明のフレーム枠の平面図
【図６】  本発明のクリヤー板の平面図
【図７】  本発明のフレーム仕切り板、写真止め板の平面図
【図８】  本発明のフレーム両面接続枠の平面図
【図９】  本発明の両面フォトフレームのフタの斜視図
【図１０】  本発明の両面フォトフレーム上位部の平面図
【符号の説明】
【０００８】  １  １枚目両面フォトフレーム
２  ２枚目両面フォトフレーム
３  ３枚目両面フォトフレーム
４  ４枚目両面フォトフレーム
５  １枚目両面フォトフレームのフタ
６  ２枚目両面フォトフレームのフタ
７  ３枚目両面フォトフレームのフタ
８  ４枚目両面フォトフレームのフタ
９  １枚目、２枚目の両面フォトフレーム接続蝶番
１０  １枚目、２枚目の両面フォトフレーム接続蝶番
１１  ３枚目、４枚目の両面フォトフレーム接続蝶番
１２  ３枚目、４枚目の両面フォトフレーム接続蝶番
１３  ２枚目、３枚目の両面フォトフレーム連結蝶番
１４  ２枚目、３枚目の両面フォトフレーム連結蝶番
１５  写真投入調整所の切り込み
１６  フレーム枠
１７  クリヤー板
１８  フレーム仕切り板
１９  フレーム両面接続枠
２０  写真止め板
２１  写真入れ出し投入口空間スペース
２２  収納ケース
【図１】
2010172688.tif 000003
【図２】
2010172688.tif 000004
【図３】
2010172688.tif 000005
【図４】
2010172688.tif 000006
【図５】
2010172688.tif 000007
【図６】
2010172688.tif 000008
【図７】
2010172688.tif 000009
【図８】
2010172688.tif 000010
【図９】
2010172688.tif 000011
【図１０】
2010172688.tif 000012
(57)【要約】【課題】  家の中の段差をなくしたバリアフリー化を、されていない家屋において歩行に支障のある人の、歩行を補助する６輪歩行補助車を提供する。【解決手段】一対の自在式の前輪１と、一対の固定式の中輪２と、一対の上下可動なアーム４に付いた、一対の自在式の後輪４を備えた。段差を越える際は中輪を軸にして、補助車全体を後方に傾けると、アームに付いた後輪は沈み、それによって前輪が上がり、段差を越えることが出来る。アームには、ダンパー５と連動している為、緩やかに上下するものとする。【選択図】図１
2010172686.tif 000002
【特許請求の範囲】
【請求項１】
一対の自在式前輪と、一対の固定式中輪と、一対の自在式後輪を持つ６輪歩行補助車。
【請求項２】
後輪は、アームに固定されていて、そのアームは上下動が可能になっている事を特徴とする請求項１記載の６輪歩行補助車。
【請求項３】
後輪に付いたアームは、急激な上下動を緩衝するダンパーを備えている事を特徴とする請求項１、２記載の６輪歩行補助車。
【発明の詳細な説明】
【技術分野】
【０００１】本発明は、歩行に介助の必要な高齢者又は障害のある人が使用し、家屋内外の段差を容易に越える事の出来るための歩行を補助する６輪歩行補助車に関する。
【背景技術】
【０００２】従来において、市販されている歩行補助車は４輪であり、一般家庭で使う場合には、廊下と敷居の段差があり、越えられない場合があった。
単に前輪を大きくしただけの物もあるが、問題解決には不充分であった。
【発明の開示】
【発明が解決しようとする課題】
【０００３】敷居などの段差を越えるには、まず前輪が段差の上へ上がらないといけないので、これを技術的に解決する。
【課題を解決するための手段】
【０００４】一対の自在式前輪と、一対の固定式中輪と、一対の自在式後輪を持つ６輪車とする。【０００５】後輪はアームに固定されており、さらにアームは本体と蝶番でつながれている為、上下に動く事ができる。【０００６】これにより歩行補助車は、全体を後方に傾けることにより、前輪を上げて段差を乗り越えることが出来る。【０００７】アームにダンパーが連動していて、歩行補助車を下へ押すと、緩やかに沈み力を抜くと、緩やかに戻る。
【発明の効果】
【０００８】本発明によれば、アームに付けられた後輪がダンパーにより、ゆっくり沈みそれにより前輪が上がって、段差の上を乗り越える事が出来る。【０００９】本発明を家の中で利用する事により、家の中を段差をなくす「バリアフリー化」と家中に「手摺り」を付ける工事が不要となる。
【産業上の利用可能性】
【００１０】上述の発明は、足腰が弱く歩行に介助又は補助器具の必要な高齢者、又は障害のある人、負傷している人など歩行の困難な人に利用可能である。
【図面の簡単な説明】
【図１】  本発明にかかる歩行補助車の構成を示す外観図である。
【図２】  歩行補助車の左側面図である。
【図３】  歩行補助車を後に傾け段差を越える時の図である。
【符号の説明】１…自在式前輪
２…固定式中輪
３…自在式後輪
４…アーム
５…ダンパー
【図１】
2010172686.tif 000003
【図２】
2010172686.tif 000004
【図３】
2010172686.tif 000005
(57)【要約】【課題】横向きで就寝時に、骨盤のずれや腰・膝にかかる負担を緩和し、腰痛軽減や快適に眠る事をサポートする足はさみ枕を提供することを課題とする。【解決手段】横向きでの就寝時に、この足はさみ枕を足の間にはさんで使用する。低反発ウレタンを使用し足に合う形なので、睡眠時に適所にとどまり骨盤のずれや腰・膝にかかる負担を緩和し、腰痛軽減や快適に眠ることをサポートする効果がある。【選択図】図１
2010172689.tif 000002
【特許請求の範囲】
【請求項１】
横向きでの睡眠時にこの足はさみ枕を使用することにより、骨盤のずれを緩和し、腰痛を軽減する効果がある。
【請求項２】
横向きでの睡眠時にこの足はさみ枕を使用することにより、腰、膝の位置を正常に戻し、腰、膝にかかる負担を緩和し、快適に眠ることをサポートする。
【請求項３】
低反発ウレタンを使用し、図１の様な形態、サイズである。
【請求項４】
足の間に図２の様にはさんで使用する。低反発ウレタンを使用しているため、足の間にはさんだ時に、足に合った形に変形するので睡眠時に適所にとどまります。
【請求項５】
ベロア調のカバーを使用しているため、肌ざわりがよい。
取り外し可能で、洗濯もできるので清潔に使用できる。
【発明の詳細な説明】
【技術分野】
【０００１】この発明は、横向きでの睡眠時に使用する足はさみ枕に関するものである。
【背景技術】
【０００２】従来、下肢のむくみを取り除くために仰向け姿勢で使用する足枕はあるが、横向きでの就寝時に骨盤のずれや腰・膝にかかる負担を緩和し、腰痛を軽減し、快適に眠る事をサポートする、足枕は存在しなかった。
【発明の開示】
【発明が解決しようとする課題】
【０００３】横向きで就寝時に、図３のように骨盤のずれや腰・膝にかかる負担を緩和し、腰痛軽減や快適に眠る事をサポートする、足はさみ枕を提供することを課題とする。
【課題を解決するための手段】
【０００４】横向きでの就寝時に、この足はさみ枕を図２様に足の間にはさんで使用する。
低反発ウレタンを使用し、足に合った形に変形するので、睡眠時に適所にとどまります。
【発明の効果】
【０００５】この足はさみ枕を使用することにより、図３の様に腰、膝にかかっていた負担を、図４の様に腰、膝の位置を正常に戻し、骨盤のずれ、腰・膝にかかる負担を緩和し、腰痛軽減や快適に眠ることをサポートする効果がある。
【発明を実施するための最良の形態】
【０００６】この発明の実施形態を図１から図２に示す。足はさみ枕本体は図１に示す通りの形態、サイズとなる。【０００７】図２の様に本体のくぼんでいるところを太ももではさんで使用する。低反発ウレタンを使用しているため、足の間にはさんだ時に、足に合った形に変形するため適所にとどまり、睡眠中、腰、膝の位置を正常に戻し、骨盤のずれ、腰・膝にかかる負担を緩和する効果がある。【０００８】ベロア調のカバーを使用しているため、肌ざわりがとてもよく、心地よい使用感である。また、取り外し可能で、洗濯もできるので、清潔に使用できる。
【図面の簡単な説明】
【０００９】
【図１】本体の形態、サイズ。
【図２】使用例
【図３】使用前の腰、膝にかかる負担の状態を示す。
【図４】使用後の腰、膝の負担が緩和した状態を示す。
【符号の説明】
【００１０】１  足はさみ枕本体
２  負担のかかっている場所
【図１】
2010172689.tif 000003
【図２】
2010172689.tif 000004
【図３】
2010172689.tif 000005
【図４】
2010172689.tif 000006
(57)【要約】【課題】ブルーベリー果実に含有される有益成分を、風味や色調が劣ることなく、容易に抽出させ、渋みの原因であるタンニン酸を含有しないブルーベリー果実茶の製造方法が課題である。【解決手段】ブルーベリーの成熟した果実のみを原材料として使用し、真空凍結の状で乾燥させ、粉砕機により粉末にする。この粉末のみをチィーバッグに袋詰めにすることにより解決した。【選択図】図１
2010172330.tif 000002
【特許請求の範囲】
【請求項１】
ブルーベリー果実を真空凍結の状態で乾燥した後、粉砕し、その果実粉末のみをティーバッグに袋詰にしたことにより、渋み成分であるタンニン酸が抽出されないことを特徴とするブルーベリー果実茶の製造方法。
【請求項２】
ブルーベリー果実のみを原材料として使用し、ブルーベリー葉や茶葉及び糖類や香料等を添加しないで製造された請求項１によるブルーベリー果実茶。
【発明の詳細な説明】
【技術分野】
【０００１】本発明はブルーベリー果実のみを、原材料として使用したブルーベリー果実茶製造方法及びブルーベリー果実茶に関するものである。
【背景技術】
【０００２】これまで市販されているブルーベリー茶はブルーベリー葉と緑茶を混合した藍宝茶及び紅茶に香料を添加した商品等が知られている。
又、特許文献としてはブルーベリー果実とブルーベリー葉を混合したブルーベリー茶製造方法（特許文献１参照）、ブルーベリー葉のみを使用した、ブルーベリー茶飲料及び調整方法（特許文献２参照）、メグスリノキにブルーベリーエキスと甘味料を添加した健康茶抽出用組成物（特許文献３参照）がある。【０００３】
【特許文献１】特開２００６−１８７２１４
【特許文献２】特開２００８−５４１７７１
【特許文献３】特開２００１−２２６２７９
【０００４】しかしながら、以上の市販品や特許文献ではブルーベリー果実のみを使用したブルーベリー茶は全く見られない。ブルーベリー果実には有益なアントシアニン及びクエン酸やキナ酸を含有しているので、これを容易に抽出できるブルーベリー果実茶が求められている。
また、ブルーベリー果実茶に緑茶やブルーベリー葉を混合した飲料はタンニン酸を含むため、渋みが感じられ子供等の飲料としては不向きである。
【発明の開示】
【発明が解決しようとする課題】
【０００５】ブルーベリー果実茶の原材料に緑茶やブルーベリー葉を混合した場合、葉に含まれるタンニン酸が抽出されるため独特の渋みを感じる。
又、糖類や香料等を添加すると、嗜好性の強い飲料であるお茶としては、好まれない傾向にある。【０００６】ブルーベリー果実に含有している有益成分を、風味及び色調を劣ることなく、容易に抽出させ、渋みの原因であるタンニン酸を含有しないブルーベリー果実茶の製造方法が解決すべき課題である。
【課題を解決するための手段】
【０００７】ブルーベリー果実茶の渋みを防止するため、成熟したブルーベリー果実のみを原材料として使用し、タンニン酸の原因であるブルーベリーの葉や茎成分及び茶葉等は混入しない。【０００８】ブルーベリー果実に含まれるアントシアニンは、高温度の熱風で乾燥すると風味や色調が劣化するので、凍結状態のブルーベリー果実を真空凍結乾燥機により乾燥し乾燥ブルーベリー果実を得る。【０００９】次に、乾燥ブルーベリー果実を、粉砕機により粉砕し、ブルーベリー粉末を製造する。その粉末をフィルター袋に詰めてティーバッグを作成する。このティーバッグを温湯に浸すことにより風味や色調の優れた赤紫色のアントシアニン及びクエン酸やキナ酸の有益成分が容易に抽出される。
【発明の効果】
【００１０】本発明によるブルーベリー果実茶はタンニン酸を含有しないので渋みを好まない子供等の飲料として適している。又、糖類や香料等が添加されていないので、個人の嗜好に応じて、抽出された飲料に砂糖やミルクを調合することにより、豊かで新しい食味が楽しめる。また、ティーバッグに詰められているので、手軽にブルーベリー果実茶の飲料が作れる。【００１１】更に乾燥粉末の果肉や果皮には未利用のビタミン類やミネラル分が含有されているのでティーバッグに詰め、温湯で抽出することにより、ブルーベリーの果肉や果皮に含有される未利用の有益成分が抽出され、従来は廃棄されていた未利用の果肉や果皮が有効に利用される。【００１２】ブルーベリー果実茶に含有されるアントシアニンは、眼科や循環器科関係の病気の予防等に貢献することが今後期待されている。
【発明を実施するための最良の形態】
【００１３】本発明を実施するための最良の形態を図１に基づいて説明する。
ブルーベリーの果実は品種により６月から９月に収穫するが、成熟果実を原材料として使用するため、粒単位に手作業で収穫する。収穫したブルーベリーは洗浄後、冷凍庫で凍結保存する。【００１４】凍結保存されたブルーベリー果実を真空凍結乾燥機により乾燥ブルーベリー果実に加工する。【００１５】次に、乾燥ブルーベリー果実を粉砕機により、粉末状態に加工する。【００１６】粉末状態に加工されたブルーベリー果実の全成分をティーバッグに計量して袋詰にする。袋詰めされたティーバッグは空中の湿気を吸収する性質があるので、ポリフェノール及びクエン酸やキナ酸が抽出しないよう一定数量毎に防湿機能のある袋に梱包する。
【実施例】
【００１７】ブルーベリー果実茶１ｇに温度の異なる温湯１００ｃｃを加え、２〜３分間抽出し抽出液を得た。得られた抽出液を被験者で試飲して、風味、色調、渋みについて意見を求め結果は表１のとおりであった。【００１８】
【表１】
2010172330.tif 000003
以上の結果から６０℃〜８０℃の温湯を使用することにより良好な結果が得られた。
【図面の簡単な説明】
【００１９】
【図１】ブルーベリー果実茶の製造方法を示した行程図である。
【図１】
2010172330.tif 000004
(57)【要約】【課題】  ハイキング等に熊除けとして用いる補助具において、歩行を検知すると鈴音、または発信音を電子回路によって不具合を生じない安定的に鳴る装置を提供するものである。【解決手段】  歩行を検知する歩行検知器、中高域音、あるいは鈴音を発生する発生回路、及び出力装置を備え、小型に構成した一体をリック、帽子、衣服等に装着することによって、歩行するたび容易に音を発生できる構成である。【選択図】図１
2010172329.tif 000002
【特許請求の範囲】
【請求項１】
歩行を検知する歩行検知器と、前記歩行検知器によって歩行を検知すると中高域音、あるいは鈴音を発生する発生回路を駆動する。前記発生回路よりの音信号を出力回路に入力し、増幅して出力装置より音を発するように構成する。よって歩行を検知すると中高域音、あるいは鈴音を発生することができるように設けたことを特徴とする携帯式音発生装置。
【発明の詳細な説明】
【０００１】  本発明は、登山、ハイキング等において、熊除けの鈴音を電気回路による発生する装置に関する。
【背景技術】
【０００２】  従来、登山、渓流釣、ハイキング等において熊、獣類に遭遇することを避けるため鈴、あるいは音を鳴らしながら行動をして、人の存在を示すものである。
よって、これらのことのため以下のことが提供されている。【０００３】  例えば熊除け鈴を靴の前に装着して、歩くたびに音が鳴るようにしたものが提供されている。（例えば特許文献１）【０００４】  また、電気的なベル音発生手段を備え、スイッチ操作により発音を入り切り可能とするとともにタイマーにより任意の間隔でベル音を発生するものを提供されている。（例えば特許文献２）【０００５】
【特許文献１】  実用新案登録第３０５５７５６
【特許文献２】  特開２００５−２９２７５１
【発明の開示】
【発明が解決しようとする課題】
【０００６】  しかしながら、従来の熊除け鈴にも下記のような問題がある。
従来の鈴掛けである、山歩き用の靴なる、特許文献１において、鈴本体が衣服、装身具、又は植物等の草に接触したりすることで音が響きずるくなり、正確に本来の機能を失うことがある。
さらに、特許文献２において、登山、あるいは渓流釣等のさい休憩や周囲の環境によっては、オン、オフを繰り返すには大変に不便である。【０００７】  そこで本発明は、上記の課題に鑑み歩く動作を検知して、一定時間の間中高音、あるいは鈴音を安定して発することを提供するものである。
【課題を解決するための手段】
【０００８】  上記目的を達成するために、本発明は歩行を検知する歩行検知器と、前記歩行検知器によって歩行を検知すると中高域音、あるいは鈴音を発生する発生回路を駆動する。前記発生回路よりの音信号を出力回路に入力し、増幅して出力装置より音を発するよう構成する。よって歩行を検知すると中高域音、あるいは鈴音を発生することができるように設けたことを特徴とする。
【発明の効果】
【０００９】  本発明は、以上説明したように構成されているので、以下に記載されているような効果を奏する。【００１０】  請求項記載の発明によれば、登山、渓流釣等において本案をリック、帽子、又は衣服に装着する。よって歩くたびに音を発生し、電気式であることから音が沈む事も無く安定している。また音の大きさも変化できることから熊、獣除けに効果を発揮するものである。
【発明を実施するための最良の形態】
【００１１】  本発明の実施の形態について図面を参照して説明する。【００１２】  図１、図２は本発明に係る、携帯式音発生装置の構成ブロック図である。
図１の１０は電池電源で、ＳＷ１は電源スイッチである。電源スイッチＳＷ１をオンにすることで、１の歩行検知器によって歩行の振動を検知する。２は前記歩行検知器１のオン、オフによって電気信号に変換をする歩行検知回路である。３は発信動作によって様々な音を発する音発生回路である。４は前記音発生回路３の音信号を増幅する出力回路である。５は出力装置のスピーカである。
なお、可変抵抗器ＶＲは音出力の音量の調整をおこなうものである。【００１３】  また、図２は前記音発生回路３の内部の回路構成で発信音３１、鈴音３２、または打撃音３３の種類を構成する回路である。ＳＷ２は前記発信音３１、前記鈴音３２、前記打撃音３３を選択する選択スイッチである。【００１４】  したがって上記の構成により、スイッチＳＷ１をオンにして、衣服、帽子、リック等に装着して歩き始めることで歩行検知器１は振動を受けて歩行検知回路２よりパルス信号を出力する。よって音発生回路３は前記パルス信号を受けて駆動して音信号を発生して、出力回路４より音信号を増幅しスピーカ５より音を周囲にはっする。さらに、可変抵抗器ＶＲによって音量を調整することができ熊、獣類に人の存在を知らしめるものである。【００１５】  なお、図２において選択スイッチＳＷ２によって、周囲の環境、また好みの音を選ぶことができる。例えばピッ、ピッの発信音、鈴音、またはボン、ボンの打撃音などの音の種類に変えることができるものである。
【図面の簡単な説明】
【００１６】
【図１】  本発明の実施例を示す、携帯式音発生装置構成のブロック図である。
【図２】  実施例における音発生回路の内部構成のブロック図である。
【符号の説明】
【００１７】１は歩行検知器                        ２は歩行検知回路
３は音発生回路                        ４は出力回路
５は出力装置                          １０は電池電源
ＳＷ１は主電源スイッチ                ＳＷ２は選択スイッチ
ＶＲは可変抵抗器
【図１】
2010172329.tif 000003
【図２】
2010172329.tif 000004
(57)【要約】 【課題】出来る限り使用部材を少なく軽量にし携帯に便利にするとともに、少しぐらいの風雨に耐えうる剛性を有する構造とする。また、製作し易くするために溶着部分は全て直線とすること。さらに、装着に紐やベルト等を利用せず着脱を容易にすること。 【解決手段】製作し易く、かつ軽くするために、笠の覆いの部分は円錐形の薄膜とし、骨組みは逆止弁をつけた４本の細長い円筒形風船を井形に組み円錐形の笠の底面に固定した。そして、容易に着脱できるよう４本の円筒形風船で組んだ井形の中央のサイズは頭より少し小さくし、井形中央に頭を入れるだけで固定され使用できるようにした。 【選択図】図２
2010172379.tif 000002
【特許請求の範囲】
【請求項１】
骨組みを細い円筒形の風船で組み、雨除けまたは日除け部分を円錐形の薄膜で構成する笠において、４本の井形に組む円筒形風船の各々の一方の端部を円錐形の底面円周部分に、他の端部を少し上部の円周部分に固定することにより、各円筒形風船に空気を注入すると円錐形の底面が拡張し笠を形成する。そして、井形の中央に頭を入れることにより紐が無くとも使用できることを特徴とする携帯用の笠である。 
【発明の詳細な説明】
【技術分野】
【０００１】
本発明は、１枚の円錐形の薄膜と４本の逆止弁付きの円筒形風船で構成し、この円筒形風船に空気を入れて使用する折りたたみ可能な笠に関するものである。 
【背景技術】
【０００２】
従来の笠は、茅等で製作され、あご紐を使って頭に固定するため、折り畳みができず携帯に不便であり、あご紐の使用が煩わしくもあった。 
【０００３】
また、笠に類似した、既に発明及び考案されている空気を入れて使用するビニール製等の薄膜構造の傘も、構造が複雑なため製作が困難であり、構造的に実用的でないものが多い。 
【０００４】
これらの改善策として、円錐形の薄膜の底面円周に、井形に組んだ４本の円筒形風船を固定し骨組みとする簡単な構造とし、装着時は頭の大きさより少し小さい井形の中央に頭を入れ固定することにより、あご紐が不要となった。
【特許文献１】特開２００５−０７４０３９
【発明の開示】
【発明が解決しようとする課題】
【０００５】
解決しようとする課題は、従来のものが嵩張り携帯に不便であること、また一般的に提案されている空気膜構造のものはリング状の風船を使用しているため製作が難しく、構造的に風の影響を受け易いことである。 
【課題を解決するための手段】
【０００６】
本発明は、できるだけ軽くするために、また製作を容易にするために、円錐形の薄膜と４本の円筒形風船の力学的釣り合いで、円錐形の薄膜を笠状に立体的にくみ上げることを目的とし、４本の円筒形風船で笠の底面を形作るとともに、立体性を持たせるため４本の円筒形風船の片側端部を上に持ち上げた。 
【０００７】
この立体的に組んだ井形の８個の端部に、円錐形の薄膜を固定することにより、円筒形風船の圧縮力とうす膜の引っ張り力が釣り合い笠を形作る。 
【発明を実施するための最良の形態】
【０００８】
４本の円筒形風船は、それぞれの管の１端を円錐笠の底面円周に固定し、他端を円錐笠の底面より少し上部の円周に固定する。この場合、各円筒形風船の一端は他の風船管の下に、他端は別の風船管の上に置き、それぞれを反り合わせることによりお互いの摩擦力により井形の剛性を増す。
【実施例１】
【０００９】
図１は、本発明の断面図であり、１は円筒形風船部分、２は雨除け部分、３は空気注入口である。 
【００１０】
図２は、本発明の平面図であり、１は円筒形風船部分、２は雨除け部分、３は空気注入口である。 
【産業上の利用可能性】
【００１１】
骨組みである円筒形風船の空気を抜けば非常にコンパクトに折りたため、空気を入れれば笠になる携帯に便利な笠である。 なお、円筒形風船は、ここでは４本としたが、５本でも６本でも良い。
また、少し笠の円錐を大きくし、井形の中央に柄となる円錐台形風船を取り付けることにより傘としても使用できる。 
【図面の簡単な説明】
【００１２】
【図１】断面図である。
【図２】平面図である。
【符号の説明】
【００１３】
１    風船部分 
２    雨除け部分
３    空気注入口 
【図１】
2010172379.tif 000003
【図２】
2010172379.tif 000004
(57)【要約】      （修正有）【課題】航空機ジェットエンジンに鳥類が吸い込まれエンジンが故障又は推力の低下により航空機の運行に支障をきたす。【解決手段】ジェットエンジンの空気取入口に防鳥ネットを取付けて、ジェットエンジン内部に鳥類が吸い込まれるのを防ぐ。【選択図】図１
2010172331.tif 000002
【特許請求の範囲】
【請求項１】
航空機ジェットエンヂン空気取入口へ防鳥ネットを取付け鳥害による諸問題を解決するための航空機ジエットエンヂン空気取入口への防鳥ネット。
【発明の詳細な説明】
【発明の概要】
【発明が解決しようとする課題】航空機ジエットエンヂンの空気取入口へ野鳥が吸い込まれエンヂンの故障又はエンヂン停止による飛行不能など極めて危険そして重大な問題を抱えている。
【課題を解決するための手段】航空機ジエットエンヂンの空気取入口前部に取付ける金属性防鳥ネットは鳥の衝突により変形しない強度をもたせ、又鳥が通過しない程度の網目とする。
【発明の効果】鳥害によるジエットエンヂンの修理、ジエットエンヂンの推力低下による重大事故につながる問題、鳥害に合ったらというパイロットの不安又乗客の不安など一気に解決できる。
【図１】
2010172331.tif 000003
【図２】
2010172331.tif 000004
【手続補正書】
【提出日】平成21年4月8日(2009.4.8)
【手続補正２】
【補正対象書類名】明細書
【補正対象項目名】全文
【補正方法】変更
【補正の内容】
【発明の詳細な説明】
【発明の概要】
【発明が解決しようとする課題】航空機ジエットエンヂンの空気取入口へ野鳥が吸い込まれエンヂンの故障又はエンヂンの停止による飛行不能など極めて危険そして重大な問題を抱えている。
【課題を解決するための手段】航空機ジエットエンヂンの空気取入口前部に取付する金属性防鳥ネットは鳥の衝突により変形しない強度をもたせ、又鳥が通過しない程度の網目とする。
【発明の効果】鳥害によるジェットエンヂンの修理、ジェットエンヂンの推力低下による重大事故につながる問題、鳥害に合ったらというパイロットの不安又、は乗客の不安など一気に解決できる。
【図面の簡単な説明】
【図１】防鳥ネットなしの航空機エンヂン
【図２】防鳥ネットを取付けた航空機ジェットエンヂン
【手続補正３】
【補正対象書類名】図面
【補正対象項目名】全図
【補正方法】変更
【補正の内容】
【図１】
2010172331.tif 000005
【図２】
2010172331.tif 000006
(57)【要約】【課題】例えば特許公報の、所定のキーワードに係る真贋又は合致度を比較的精度良く評価する。【解決手段】特許評価装置は、所定のキーワードの、特許公報における出現位置を探索する探索手段と、当該特許公報を構成する書誌項目欄について予め規定された重み付け係数と、各書誌項目欄に出現する当該キーワードの個数との積の総計値として、当該キーワードに係る当該特許公報の合致度を算出する算出手段と、該合致度が所定閾値を越えるか否かに応じて、当該キーワードに係る当該特許公報の真贋を評価する評価手段とを備える。【選択図】なし【特許請求の範囲】
【請求項１】
所定のキーワードの、特許公報における出現位置を探索する探索手段と、
当該特許公報を構成する書誌項目欄について予め規定された重み付け係数と、各書誌項目欄に出現する当該キーワードの個数との積の総計値として、当該キーワードに係る当該特許公報の合致度を算出する算出手段と、
該合致度が所定閾値を越えるか否かに応じて、当該キーワードに係る当該特許公報の真贋を評価する評価手段と
を備えることを特徴とする特許評価装置。
【発明の詳細な説明】
【技術分野】
【０００１】
本発明は、特許公報の、所定のキーワードに係る真贋又は合致度を評価するための特許評価装置に関するものである。
【背景技術】
【０００２】
例えば多数の特許から成るパテントプールを構築するにあたり、多数の特許公報の中から所定のキーワードに係るものを検索するために、個々の特許公報が当該キーワードにどの程度合致するかを評価する必要がある。かかる評価を行うために、例えば特許文献１に記載された特許評価方法及び特許評価システムが提案されている。この文献によると、特許検索結果または予約検索機能による特許文献データを取込む過程と、前記特許文献データの書誌的事項である、出願人、ＩＰＣ、発明の名称等のリストにより前記特許文献データを分類する過程と、前記特許文献データの抄録や全文・全図の内容を特許情報検索システムから取得して、リストとは別の評価画面に表示しながら前記特許文献データをさらに分類・評価する過程と、を備えることにより、特許文献評価作業の軽減を実現可能であるという。
【特許文献１】特開２００５−３２１３６号公報
【発明の開示】
【発明が解決しようとする課題】
【０００３】
しかしながら、例えば前述の特許文献１に開示されている技術では、個々の特許公報の、所定のキーワードに係る真贋又は合致度を正確に評価できない虞がある。これは、特許公報における、当該キーワードの出現位置を十分に考慮していないためである。例えば、特許発明の技術的範囲を規定するのは「特許請求の範囲」の記載である一方、「要約」の記載は特許発明の技術的範囲を規定する際に考慮してはならないにもかかわらず（特許法第七十条）、「特許請求の範囲」に出現する当該キーワードと、「要約」に出現する当該キーワードとを同様の重み付けとして取り扱っているからである。
【０００４】
本発明は、例えば上述した問題点に鑑みてなされたものであり、特許公報の、所定のキーワードに係る真贋又は合致度を比較的精度良く評価可能な特許評価装置を提供することを課題とする。
【課題を解決するための手段】
【０００５】
本発明の特許評価装置は、上記課題を解決するために、
所定のキーワードの、特許公報における出現位置を探索する探索手段と、
当該特許公報を構成する書誌項目欄について予め規定された重み付け係数と、各書誌項目欄に出現する当該キーワードの個数との積の総計値として、当該キーワードに係る当該特許公報の合致度を算出する算出手段と、
該合致度が所定閾値を越えるか否かに応じて、当該キーワードに係る当該特許公報の真贋を評価する評価手段と
を備えることを特徴とする特許評価装置である。
【０００６】
本発明の特許評価装置によると、特許公報における、当該キーワードの出現位置を十分に考慮しているので、特許発明の技術的範囲に対する寄与率が低い欄に記載されたキーワードを必要以上に高く評価することがないので、特許公報の、所定のキーワードに係る真贋又は合致度を比較的精度良く評価可能となる。
【０００７】
本発明の作用及び他の利得は、次に説明する実施するための最良の形態から明らかにされよう。
【発明を実施するための最良の形態】
【０００８】
以下、発明を実施するための最良の形態として本発明の一実施形態を詳細に説明する。
【０００９】
実施形態に係る特許評価装置において、
・探索手段は、例えば演算装置および記憶装置からなり、所定のキーワード（例えば、「フラーレン」、「燃料電池」、及び「遺伝子」等）の、特許公報における出現位置を探索する。具体的には、Quick Search法やエイホ-コラシック法といった既知の文書検索アルゴリズムにより、当該キーワードが、当該特許公報を構成する書誌項目欄（例えば、「特許請求の範囲」、「発明の名称」、「背景技術」、「発明が解決しようとする課題」、「課題を解決するための手段」、「実施例」、「要約」等）のうちどの欄に幾つ含まれるかを探索する。
・算出手段は、例えば演算装置および記憶装置からなり、当該特許公報を構成する書誌項目欄について予め規定された重み付け係数と、各書誌項目欄に出現する当該キーワードの個数との積の総計値として、当該キーワードに係る当該特許公報の合致度を算出する。ここで、重み付け係数は、各書誌項目欄の、特許発明の技術的範囲に対する寄与率に鑑みて予め実験的に設定されている値であり、例えば「特許請求の範囲」や「課題を解決するための手段」に係る重み付け係数は「要約」、「発明の名称」、及び「背景技術」に係るそれよりも大きく設定される。また、合致度は、キーワードの出現位置のみならず、出現位置の組み合わせを加味して補正されてもよい。
・評価手段は、例えば演算装置および記憶装置からなり、該合致度が所定閾値を越えるか否かに応じて、当該キーワードに係る当該特許公報の真贋を評価する。例えば、合致度が所定閾値を越えない場合には、当該特許公報中に当該キーワードが出現したのは付随的な説明のためにすぎず、当該特許公報は当該キーワードとは殆ど関係ない（すなわち「雁」である）と評価される。逆に、合致度が所定閾値を越える場合には、当該特許公報は当該キーワードとは大いに関係ある（すなわち「真」である）と評価される。なお、閾値は、絶対的なものでもよいし、他の特許公報と比較した場合の相対的なものでもよい。
以上説明した本発明の特許評価装置によると、特許公報における、当該キーワードの出現位置を十分に考慮しているので、特許発明の技術的範囲に対する寄与率が低い欄に記載されたキーワードを必要以上に高く評価することがないので、特許公報の、所定のキーワードに係る真贋又は合致度を比較的精度良く評価可能となる。
【００１０】
本発明は、上述した実施形態に限られるものではなく、請求の範囲及び明細書全体から読み取れる発明の要旨、或いは思想に反しない範囲で適宜変更可能であり、そのような変更を伴う差込プラグ封止装置も又、本発明の技術的範囲に含まれるものである。
(57)【要約】      （修正有）【課題】受任に必要な提出項目一切をパッケージとすることで、委任受任ともに面倒な処理を簡素化し、物理的、技術的なハンディをクリアーし、和解までの期間の短縮化も図るシステムを提供する。【解決手段】専用ソフトのオペレーションに沿って、必要書類を作成し、インターネットカメラによる動画ならびにスキャンにより書類をデータ化し、暗号化処理したデータを受任側にインターネットを利用して送信し、送信されたデータを受任側で解凍し、各種手続きを行う。進行状況は、担当者がステップ分けして進捗管理し、遠隔地の委任者は、その状況を、あらかじめ配布したユニーク情報を基にインターネットを利用して閲覧することが出来る。【選択図】図１
2010009559.tif 000002
【特許請求の範囲】
【請求項１】
過払い・既払い・他債務の返還請求に関する、弁護士（会）並びに司法書士への委任に必要な一切の手続き処理をパッケージ化し、インターネットにて委任受理を完了させ、進捗状況など委任内容に付随する関連情報を閲覧できるシステム
【発明の詳細な説明】
【技術分野】
【０００１】      本発明は、訴訟依頼手続きをＩＴを用いることにより、簡素化・合理化するシステムに関するものである。
【背景技術】
【０００２】      知りうる発明なし
【特許文献１】特になし
【特許文献２】特になし
【非特許文献１】特になし
【非特許文献２】特になし
【発明の開示】
【発明が解決しようとする課題】
【０００３】解決しようとする問題点は、膨大な依頼による書類の煩雑管理、誤処理を解消し、弁護士・司法書士による受任処理の簡素化と、依頼者の委任処理を明瞭化して、委任から受任、訴訟、和解までの業務の迅速化を図るものである。
また、地方依頼者や高齢者などハンディ者に対して適切な弁護士・司法書士への依頼と手続き処理のスムーズ化を図り、物理的な問題を是正するものである
【課題を解決するための手段】
【０００４】本発明は、受任側に必要な提出項目一切をパッケージとすることで、面倒な処理が簡素化できるため、受任側依頼側ともに面倒な手続きを省略することが出来、併せて進捗状況を、本人を確認する（ユニークＩＤパスワードまたは個人情報の照会）ことにより随時確認することが出来る。
【発明の効果】
【０００５】本発明の効果は、本来紙媒体による管理情報の把握の難しさや、進捗状況の把握、処理進行の妨げとなる情報の把握のし辛さを合理化することにより、膨大な依頼にも対応できるという利点がある。
【発明を実施するための最良の形態】
【０００６】企業・自治体・弁護士・司法書士・ＮＰＯ法人・福祉・ボランティアなどの団体による本発明の導入
【図面の簡単な説明】
【０００７】
【図１】本発明による概略構成図である。
【図１】
2010009559.tif 000003
(57)【要約】【課題】「憶えにくい」「書きづらい」メールアドレスを使用せざるを得ない事が多い。【解決手段】「有用なメールアドレス」を、ドメイン管理者に発行してもらい、使用者にはドメインの保守、運用費用などを負担してもらう。【選択図】図１
2010009563.tif 000002
【特許請求の範囲】
【請求項１】
「名前＠苗字．ドメイン」の形式で、希望者に電子メールアドレスを提供するサービス。（例：ｔａｒｏ＠ｔａｎａｋａ．ｊｐなど）
【請求項２】
有限資源であるドメインを有効に活用するために、ドメイン管理者と希望者の間を取り持つサービス。
【請求項３】
発行された電子メールアドレスへの電子メールを、希望した電子メールアドレス（現在使っている携帯メールなど）に転送するサービス。
【発明の詳細な説明】
【技術分野】
【０００１】この発明はインターネットで使用されている、ドメイン運用に関するものである。【０００２】ドメインはドメイン管理者の許諾により、電子メールアドレスとして使用することができる。【０００３】ドメイン管理者は個人、法人を問わず、そのドメインの運用に関する全ての権利を所有している。
【発明の開示】
【発明が解決しようとする課題】
【０００４】従来、ドメインは「先願主義」により、既得権が大きく、有用なドメインは既に枯渇している状態である。しかし、シンプル且つ、個人との関連付けが容易なドメインに対する要望は高まっている。その要望を叶えるためのサービスである。【０００５】携帯電話など電子機器の普及により、電子メールが一般化しているため、今後、その要望は更に高まる傾向にある。【０００６】また、逆に、ドメインは容易に取得できるが、活用には技術が必要なため、有効な活用をできていないドメイン管理者も多い。【０００７】それらの悪循環により、シンプルな電子メールアドレスに必要な、「有用なドメイン」は既に枯渇しており、「憶えにくい」「書きづらい」、冗長な電子メールアドレスを使用せざるを得ないのが現状である。
【課題を解決するための手段】
【０００８】ドメイン管理者に、メールアカウントの発行権の一部を貸し出してもらい、希望者からの要望を伝え、希望通りのメールアドレスを発行できるよう、間を取り持つ。又はドメイン取得そのものを行う。
【発明を実施するための最良の形態】
【０００９】ドメインの保守や、メールに必要な設備、それらの実費を、ドメインと同じ苗字を持つ者同士で負担してもらい、負担した者には希望するメールアドレスを発行する。
「実施形態の効果」【００１０】ドメイン管理者はコストを削減することができ、利用者にとっては「使いやすいメールアドレス」を安価に入手することができる。
「他の実施形態」【００１１】一般的な良識の範囲内であれば、「苗字」との関連付けのないドメインでも、ドメイン管理者との交渉を行う場合があってもよい。
【図面の簡単な説明】
【図１】  この発明のサービス形態の簡略図である。「田中」姓を例にとっている。個人名は全て架空のものである。
【図１】
2010009563.tif 000003